(57)【要約】【課題】様々なコンテンツについて、その雰囲気を損なわないようにしつつ、大音量時の不具合対策も可能とするＤＲＣを有するオーディオ信号処理装置、スピーカ装置およびテレビを提供すること。【解決手段】このように、本発明の実施形態に係るテレビは、圧縮部に設定される入出力特性について、第１区間、第２区間、第３区間を規定する第１のレベルＤ１、第２のレベルＤ２をボリューム値Ｖｏｌの設定によらず一定の値とし、また映画のオーディオの大部分を占める第１区間、第２区間における圧縮率を異ならせるとともに、ボリューム値Ｖｏｌの設定によらないものとしているから、ボリューム値Ｖｏｌに応じて圧縮率が変化する第３区間の範囲を少なくできる。したがって、どのようなボリューム値Ｖｏｌで視聴しても、映画制作者の意図をあまり損なわずに、再生側の事情に応じた、より自由度の高い視聴環境を構築できる。【選択図】図３
2010034700.tif 000002
【特許請求の範囲】
【請求項１】
オーディオ信号が入力される入力手段と、
供給されるオーディオ信号を設定される増幅率で増幅して出力する増幅手段と、
前記増幅率を設定する設定手段と、
前記入力手段に入力されたオーディオ信号を、前記設定手段によって設定された増幅率に応じて変化するように設定された入出力特性でダイナミックレンジを圧縮して前記増幅手段に供給する圧縮手段と
を具備し、
前記圧縮手段には、前記入力手段によって入力されたオーディオ信号の入力レベルが、第１のレベル未満においては、第１の圧縮率で圧縮し、前記第１のレベル以上、第２のレベル未満となる範囲においては、前記第１の圧縮率とは異なる圧縮率の第２の圧縮率で圧縮し、前記第２のレベル以上においては、前記設定手段によって設定される増幅率に応じて決定される圧縮率である第３の圧縮率で圧縮するように、当該オーディオ信号の入力レベルのダイナミックレンジを圧縮する入出力特性が設定される
ことを特徴とするオーディオ信号処理装置。
【請求項２】
前記圧縮手段に設定されている入出力特性は、前記増幅手段から出力されるオーディオ信号の出力レベルが予め設定された最大値を超えないように、前記設定手段によって設定される増幅率に応じて前記第３の圧縮率が決定される
ことを特徴とする請求項１に記載のオーディオ信号処理装置。
【請求項３】
前記圧縮手段に設定されている入出力特性は、前記第３の圧縮率が決定されうる圧縮率の範囲の中で最大となる場合には、前記入力手段によって入力されたオーディオ信号の入力レベルが最大レベルであるときに、出力レベルが最大レベルとなる対応関係である
ことを特徴とする請求項１または請求項２に記載のオーディオ信号処理装置。
【請求項４】
前記圧縮手段に設定されている入出力特性は、前記設定手段によって設定される増幅率が予め設定された増幅率以下である場合には、第３の圧縮率が第２の圧縮率と同じ圧縮率として決定され、予め設定された増幅率より大きい場合には、増幅率の増大とともに、高圧縮になるように第３の圧縮率が決定される
ことを特徴とする請求項１乃至請求項３のいずれかに記載のオーディオ信号処理装置。
【請求項５】
前記圧縮手段に設定されている入出力特性の第３の圧縮率は、前記設定手段によって設定される増幅率が最大の増幅率であるときに、前記入力手段によって入力されたオーディオ信号の入力レベルが変化しても出力レベルが一定になるように決定される
ことを特徴とする請求項１乃至請求項４のいずれかに記載のオーディオ信号処理装置。
【請求項６】
前記第１の圧縮率は、前記第２の圧縮率より低圧縮になるように決定される
ことを特徴とする請求項１乃至請求項５のいずれかに記載のオーディオ信号処理装置。
【請求項７】
前記圧縮手段に設定されている入出力特性の第１の圧縮率または第２の圧縮率は、ダイナミックレンジの圧縮伸張がなされないように決定される
ことを特徴とする請求項１乃至請求項６のいずれかに記載のオーディオ信号処理装置。
【請求項８】
請求項１乃至請求項７のいずれかに記載のオーディオ信号処理装置と、
前記増幅手段から出力されたオーディオ信号を放音する放音手段と
を具備することを特徴とするスピーカ装置。
【請求項９】
請求項１乃至請求項７のいずれかに記載のオーディオ信号処理装置と、
映像信号およびオーディオ信号を取得する取得手段と、
前記取得手段が取得した映像信号に係る映像を表示する表示手段と
を具備し、
前記入力手段に入力されるオーディオ信号は、前記取得手段によって取得されたオーディオ信号である
ことを特徴とするテレビ。
【発明の詳細な説明】
【技術分野】
【０００１】
本発明は、オーディオ信号のダイナミックレンジの圧縮技術に関する。
【背景技術】
【０００２】
映画などのコンテンツなどをテレビで視聴する場合、そのサウンドトラックは家庭の居間で聞くには、そのオーディオ信号のダイナミックレンジが広すぎて、大音量のシーンでは音量が大きすぎ、また小音量のシーンでは音量が小さすぎて聞き取れないことがある。この状態を改善するためにＤＲＣ（Ｄｙｎａｍｉｃ  Ｒａｎｇｅ  Ｃｏｍｐｒｅｓｓｉｏｎ）を設けることで、音量の変動幅を狭くすることができる。また、ＤＲＣは、大音量時の不具合対策として用いられる。このとき、出力音量を調整するボリューム値に応じて、ＤＲＣのパラメータを変更する技術がある（例えば、特許文献１）。
【特許文献１】特開２００７−１０４４０７号公報
【発明の開示】
【発明が解決しようとする課題】
【０００３】
ところで、ＤＲＣは、上記のように音量幅を狭くしたり、大音量時の不具合対策としたりするために用いられていたため、ダイナミックレンジ圧縮の入出力特性によっては、映画の視聴時の雰囲気を損なうものとなってしまう場合があった。
【０００４】
本発明は、上述の事情に鑑みてなされたものであり、様々なコンテンツについて、その雰囲気を損なわないようにしつつ、大音量時の不具合対策も可能とするＤＲＣを有するオーディオ信号処理装置、スピーカ装置およびテレビを提供することを目的とする。
【課題を解決するための手段】
【０００５】
上述の課題を解決するため、本発明は、オーディオ信号が入力される入力手段と、供給されるオーディオ信号を設定される増幅率で増幅して出力する増幅手段と、前記増幅率を設定する設定手段と、前記入力手段に入力されたオーディオ信号を、前記設定手段によって設定された増幅率に応じて変化するように設定された入出力特性でダイナミックレンジを圧縮して前記増幅手段に供給する圧縮手段とを具備し、前記圧縮手段には、前記入力手段によって入力されたオーディオ信号の入力レベルが、第１のレベル未満においては、第１の圧縮率で圧縮し、前記第１のレベル以上、第２のレベル未満となる範囲においては、前記第１の圧縮率とは異なる圧縮率の第２の圧縮率で圧縮し、前記第２のレベル以上においては、前記設定手段によって設定される増幅率に応じて決定される圧縮率である第３の圧縮率で圧縮するように、当該オーディオ信号の入力レベルのダイナミックレンジを圧縮する入出力特性が設定されることを特徴とするオーディオ信号処理装置を提供する。
【０００６】
また、別の好ましい態様において、前記圧縮手段に設定されている入出力特性は、前記増幅手段から出力されるオーディオ信号の出力レベルが予め設定された最大値を超えないように、前記設定手段によって設定される増幅率に応じて前記第３の圧縮率が決定されることを特徴とする。
【０００７】
また、別の好ましい態様において、前記圧縮手段に設定されている入出力特性は、前記第３の圧縮率が決定されうる圧縮率の範囲の中で最大となる場合には、前記入力手段によって入力されたオーディオ信号の入力レベルが最大レベルであるときに、出力レベルが最大レベルとなる対応関係であることを特徴とする。
【０００８】
また、別の好ましい態様において、前記圧縮手段に設定されている入出力特性は、前記設定手段によって設定される増幅率が予め設定された増幅率以下である場合には、第３の圧縮率が第２の圧縮率と同じ圧縮率として決定され、予め設定された増幅率より大きい場合には、増幅率の増大とともに、高圧縮になるように第３の圧縮率が決定されることを特徴とする。
【０００９】
また、別の好ましい態様において、前記圧縮手段に設定されている入出力特性の第３の圧縮率は、前記設定手段によって設定される増幅率が最大の増幅率であるときに、前記入力手段によって入力されたオーディオ信号の入力レベルが変化しても出力レベルが一定になるように決定されることを特徴とする。
【００１０】
また、別の好ましい態様において、前記第１の圧縮率は、前記第２の圧縮率より低圧縮になるように決定されることを特徴とする。
【００１１】
また、別の好ましい態様において、前記圧縮手段に設定されている入出力特性の第１の圧縮率または第２の圧縮率は、ダイナミックレンジの圧縮伸張がなされないように決定されることを特徴とする。
【００１２】
また、本発明は、上記記載のオーディオ信号処理装置と、前記増幅手段から出力されたオーディオ信号を放音する放音手段とを具備することを特徴とするスピーカ装置を提供する。
【００１３】
また、本発明は、上記記載のオーディオ信号処理装置と、映像信号およびオーディオ信号を取得する取得手段と、前記取得手段が取得した映像信号に係る映像を表示する表示手段とを具備し、前記入力手段に入力されるオーディオ信号は、前記取得手段によって取得されたオーディオ信号であることを特徴とするテレビを提供する。
【発明の効果】
【００１４】
本発明によれば、様々なコンテンツについて、その雰囲気を損なわないようにしつつ、大音量時の不具合対策も可能とするＤＲＣを有するオーディオ信号処理装置、スピーカ装置およびテレビを提供することができる。
【発明を実施するための最良の形態】
【００１５】
以下、本発明の一実施形態について説明する。
【００１６】
＜実施形態＞
本発明の実施形態に係るテレビ１は、液晶ディスプレイ、プラズマディスプレイ、有機ＥＬディスプレイなどの薄型テレビである。テレビ１の構成について、図１を用いて説明する。図１は、テレビ１の構成を示すブロック図であり、なお、テレビ１は、図示しないＣＰＵ（Ｃｅｎｔｒａｌ  Ｐｒｏｃｅｓｓｉｎｇ  Ｕｎｉｔ）を有し、このＣＰＵは、テレビ１の各部を制御している。
【００１７】
テレビ１は、信号取得部２、映像表示装置１０およびスピーカ装置２０を有し、スピーカ装置２０は、放音部２１およびオーディオ信号処理装置３０を有する。映像表示装置１０は、映像信号入力部１１および表示部１２を有する。また、オーディオ信号処理装置３０は、オーディオ信号入力部３１、圧縮部３２、増幅部３３、操作部３４、記憶部３５およびパラメータ設定部３６を有する。
【００１８】
信号取得部２は、テレビチューナ、ＤＶＤ（Ｄｉｇｉｔａｌ  Ｖｅｒｓａｔｉｌｅ  Ｄｉｓｃ）再生装置などからのデータを受信することにより、また、図示しないＣＰＵの制御に応じて、映像信号とオーディオ信号を生成することにより、映像信号とオーディオ信号とを取得し、映像信号を映像信号入力部１１に入力し、オーディオ信号をオーディオ信号入力部３１に入力する。
【００１９】
映像信号入力部１１は、信号取得部２から入力された映像信号を表示部１２に出力する。
【００２０】
表示部１２は、液晶ディスプレイ、プラズマディスプレイ、有機ＥＬディスプレイなどの表示面を有する表示デバイスであって、映像信号入力部１１から出力された映像信号に応じた表示を行う。
【００２１】
放音部２１は、後述するオーディオ信号処理装置３０の増幅部３３から出力されるオーディオ信号を放音するスピーカである。放音部２１は、パワーアンプを有するようにし、パワーアンプで増幅したオーディオ信号を、スピーカから放音する構成であっても良い。なお、放音部２１は、外部スピーカ装置などの外部構成であってもよく、この場合は、外部スピーカ装置を接続する接続端子を設け、後述する増幅部３３で増幅されたオーディオ信号が、その接続端子に供給されるようにすればよい。
【００２２】
オーディオ信号入力部３１は、信号取得部２から入力されたオーディオ信号を圧縮部３２に出力する。
【００２３】
圧縮部３２は、ダイナミックレンジを調整するＤＲＣなどであって、オーディオ信号入力部３１から出力されたオーディオ信号について、後述するパラメータ設定部３６から設定されたパラメータが示す入出力特性でダイナミックレンジを圧縮して増幅部３３に供給する。入出力特性については後述する。
【００２４】
増幅部３３は、圧縮部３２から供給されたオーディオ信号を、後述する操作部３４から設定される増幅率で増幅して放音部２１に出力する。
【００２５】
操作部３４は、放音部２１から放音される音量を指示するボリューム値Ｖｏｌを設定するボリューム操作子を有し、利用者がボリューム操作子を操作してボリューム値Ｖｏｌを設定すると、増幅部３３に対して、ボリューム値Ｖｏｌに応じた増幅率を設定する。また、パラメータ設定部３６に対して、設定されたボリューム値Ｖｏｌを出力する。この例においては、ボリューム値は「０（無音）」、「１」、・・・「１０（最大音量）」と段階的に設定でき、１ステップあたり２ｄＢの変化となるように設定されている。なお、このボリューム値Ｖｏｌの設定は利用者の操作により操作部３４によって行われるものに限らず、図示しないＣＰＵの指示により行なわれるものであってもよい。
【００２６】
記憶部３５は、図２に示すように、圧縮部３２に設定される入出力特性を示すパラメータを複数記憶し、この入出力特性の各々は、操作部３４において設定される各ボリューム値Ｖｏｌと対応づけられている。なお、図２に示すものにおいては、各ボリューム値Ｖｏｌに対応して入出力特性を記憶している記載となっているが、例えばボリューム値Ｖｏｌが「１」〜「７」までは対応する入出力特性が同じものであれば、この範囲のボリューム値Ｖｏｌに対応して一の入出力特性を記憶するようにしてもよい。なお、ボリューム値Ｖｏｌが「０」については、そもそも無音状態とするものであるから、対応する入出力特性は存在しない。
【００２７】
パラメータ設定部３６は、操作部３４から出力されたボリューム値Ｖｏｌに対応する入出力特性を示すパラメータを読み出して、圧縮部３２に設定する。
【００２８】
ここで、記憶部３５が記憶しているパラメータの入出力特性についての一例について、図３を用いて説明する。図３は、圧縮部３２に入力されるオーディオ信号の入力レベルと、圧縮部３２から出力されるオーディオ信号の出力レベルとの関係を示す入出力特性図であり、記憶部３５に記憶された各ボリューム値Ｖｏｌに対応する入出力特性をまとめて表したものである。
【００２９】
この例における入出力特性は、映画を視聴するときに用いると雰囲気を損なわないように設定されるものである。映画におけるオーディオは、大きく分けてダイアログ（セリフ）、音楽、効果音に分類される。セリフについては、比較的低い入力レベルに設定されるものであり、概ね−２６ｄＢ〜−３１ｄＢに設定されている。一方、映画の特定のシーンで印象的な効果を狙って大音量の効果音が使われる。このような場合に、図３に示すような入出力特性が大きな効果を発揮する。
【００３０】
図３に示す入出力特性について詳細を説明する。図３に示すＣ１、Ｃ２、Ｃ３、・・・Ｃ６は、それぞれ圧縮率を示し、傾き、すなわち出力レベルを入力レベルで微分したものを示している。したがって、圧縮率が「１」であれば、圧縮が行われず、入力レベルの変化量と出力レベルの変化量は同じである。圧縮率が「１」より小さくなるほど、入力レベルの変化に対して出力レベルの変化が小さくなるようにダイナミックレンジが圧縮される。すなわち、圧縮率が小さくなるほど高圧縮になる。一方、圧縮率が「１」より大きくなるほど、入力レベルの変化に対して出力レベル変化が大きくなるようにダイナミックレンジが伸長される。
【００３１】
図３に示す入出力特性において、入力レベルが最小レベルｍｉｎから第１のレベルＤ１（この例においては、−２５ｄＢ）未満においては、圧縮率Ｃ１（この例においては、「１」）となっている。したがって、この入力レベルの範囲（以下、第１区間という）においては、ダイナミックレンジの圧縮伸長は行われず、シフト量Ｇ（この例においては１０ｄＢ）のゲインシフトだけが行われる。
【００３２】
入力レベルが第１のレベルＤ１以上、第２のレベルＤ２（この例においては、−１０ｄＢ）未満においては、圧縮率Ｃ２（この例においては、「０．６」）となっている。したがって、この入力レベルの範囲（以下、第２区間という）においては、ダイナミックレンジの圧縮が行われる。
【００３３】
入力レベルが第２のレベルＤ２以上、最大レベルｍａｘにおいては、設定されたボリューム値Ｖｏｌに応じて圧縮率が変化し、ボリューム値Ｖｏｌが「１」から「７」までは圧縮率Ｃ３（この例においては、Ｃ２と同じ「０．６」）である。ボリューム値Ｖｏｌが「８」、「９」、「１０」のときは、それぞれ圧縮率Ｃ４、Ｃ５、Ｃ６であり、この例においては、それぞれ「０．４」、「０．２」、「０」として決定されている。したがって、この入力レベルの範囲（以下、第３区間という）においては、ボリューム値Ｖｏｌが大きくなるほど圧縮率が小さくなるようにすることによって、より高圧縮になるようにしてダイナミックレンジの圧縮が行われる。
【００３４】
ここで、第３区間において圧縮率Ｃ３となるボリューム値Ｖｏｌが設定されている場合、すなわち、第３区間における圧縮率が決定されうる最大となる圧縮率となる場合には、入力レベルが最大レベルｍａｘであるときに、出力レベルは、そのままの最大レベルｍａｘで出力されるような入出力特性になっている。また、しきい値Ｄｔｈは、入力レベルが最大レベルｍａｘであり、ボリューム値Ｖｏｌが「１０」のときの出力レベルを示すものであるが、ボリューム値Ｖｏｌが「１０」のとき圧縮率Ｃ６は「０」であるから、入出力特性における第２のレベルＤ２に対応する出力レベルと同じである。したがって、この例においては、しきい値Ｄｔｈは−６ｄＢとなる。
【００３５】
このように圧縮部３２に入出力特性が設定された場合において、増幅部３３から出力されるオーディオ信号の出力レベルとの関係について、図４を用いて説明する。図４は、圧縮部３２に入力されるオーディオ信号の入力レベルと、増幅部３３で増幅されて出力されるオーディオ信号の出力レベルとの関係を示す入出力特性図である。
【００３６】
図４に示すように、ボリューム値Ｖｏｌが「８」以上であるときには、第３区間の圧縮率を小さくすることによってより高圧縮とし、増幅部３３から出力されるオーディオ信号の出力レベルが、最大値Ｔｈを超えないようになっている。これは、大音量時の不具合対策によるものであり、これ以上の出力レベルのオーディオ信号を出力することで、増幅部３３の増幅能力を超えて歪んだり、また、後段の放音部２１の処理回路に悪影響を与えたりすることによって、音質の悪化を招くことを防止するためである。
【００３７】
ここで、ボリューム値Ｖｏｌが「１０」である場合は、出力レベルが最大値Ｔｈとなるときの入力レベルが第２のレベルＤ２に対応している。したがって、圧縮率Ｃ６が「０」であり、第１区間の入出力特性および圧縮率Ｃ２が決まっていれば、第２のレベルＤ２、圧縮率Ｃ３、Ｃ４、Ｃ５については、増幅部３３に係る最大値Ｔｈとの関係で決まるものである。すなわち、増幅部３３に係る最大値Ｔｈが定められ、圧縮率Ｃ６が「０」とする前提においては、第１のレベルＤ１、圧縮率Ｃ１、Ｃ２により全体の入出力特性を規定することができる。
【００３８】
このようにして、圧縮部３２に設定される入出力特性を定めることにより、以下のような効果を奏する。すなわち、第１区間においては、セリフの入力レベルに対応するものであり、圧縮による過渡的な利得変動がなく、セリフの音量がふらつきにくく違和感のない状態で映画を視聴することができる。また、ゲインシフトされている分だけセリフの音量が相対的に増幅されているから、聞き取りやすいものとなっている。さらに、圧縮率Ｃ１が「１」として決定されているから、入力されたオーディオ信号が示すダイナミックレンジが圧縮伸張されず、原音に忠実なダイナミックレンジで視聴することができる。
【００３９】
一方、第３区間においては、大音量の効果音の入力レベルに対応するものであるが、設定したボリューム値Ｖｏｌが大音量を指定するものであっても、音が歪むなどの不具合を回避することができる。また、設定されたボリューム値Ｖｏｌによって変化するような圧縮率であっても、常時発生するものではない効果音に対するものであるから、聴感上の違和感も少ないものとなる。
【００４０】
また、第２区間においては、ボリューム値Ｖｏｌの設定によらず、一定の圧縮率Ｃ２で圧縮されるから、聴感上の違和感が少ないものとなる。特に、第２区間のレベル域にある音楽については、自然な効果が得られ音楽性を失わずに良好な再生状態を得ることができる。また、このように、第１区間と第２区間で異なる圧縮率を設定することで、ボリューム値Ｖｏｌに応じて圧縮率が変化する第３区間の範囲を少なくすることもできる。
【００４１】
このように、本発明の実施形態に係るテレビ１は、圧縮部３２に設定される入出力特性について、第１区間、第２区間、第３区間を規定する第１のレベルＤ１、第２のレベルＤ２をボリューム値Ｖｏｌの設定によらず一定の値としに、映画のオーディオの大部分を占める第１区間、第２区間における圧縮率を異ならせるとともに、ボリューム値Ｖｏｌの設定によらないものとしているから、ボリューム値Ｖｏｌに応じて圧縮率が変化する第３区間の範囲を少なくできる。したがって、どのようなボリューム値Ｖｏｌで視聴しても、映画制作者の意図をあまり損なわずに、再生側の事情に応じた、より自由度の高い視聴環境を構築できる。
【００４２】
以上、本発明の実施形態について説明したが、本発明は以下のように、さまざまな態様で実施可能である。
【００４３】
＜変形例１＞
上述した実施形態においては、テレビ１として説明したが、スピーカ装置２０、オーディオ信号処理装置３０は、それぞれ単体の装置として用いることもできる。
【００４４】
＜変形例２＞
上述した実施形態においては、入出力特性において、入力レベルを第１のレベルＤ１と第２のレベルＤ２により第１区間、第２区間および第３区間を定めていたが、さらに多くの区間に分けてもよい。この場合、各区間における圧縮率を異ならせ、入力レベルの区間が一番大きい区間においては、ボリューム値Ｖｏｌに応じて圧縮率が変化するようにすればよい。
【００４５】
なお、入力レベルの大きい方から複数の区間について、ボリューム値Ｖｏｌに応じて圧縮率が変化するようにしてもよい。例えば、入力レベルの低い方を第１区間とし、第５区間まで設け、第４区間および第５区間をボリューム値Ｖｏｌに応じて圧縮率が変化するようにし、それぞれ変化の態様を異ならせるようにすればよい。
【００４６】
＜変形例３＞
上述した実施形態においては、例えば映画を視聴するときに好適な入出力特性を例としてあげたが、様々なコンテンツの視聴において、別の入出力特性を用いた方が良い場合もある。そこで、別の入出力特性の例を図５、図６を用いて説明する。
【００４７】
図５に示す例においては、上述した実施形態の場合と比べ、圧縮率Ｃ１と圧縮率Ｃ２の大小関係が逆になっている。また、第２のレベルＤ２、圧縮率Ｃ３、Ｃ４、Ｃ５については、実施形態でも述べたように、増幅部３３に係る最大値Ｔｈが定められ、圧縮率Ｃ６が「０」とする前提においては、第１区間の入出力特性および圧縮率Ｃ２に対応して決定されるものである。この図５に示すような入出力特性は、低い入力レベルにおいて圧縮率が低く設定されているから、入力されるオーディオ信号について低いレベルがあまり使用されていないようなコンテンツに用いると好適である。なお、圧縮率Ｃ２を「１」になるようにすれば、第２区間においては、入力されたオーディオ信号が示すダイナミックレンジ圧縮伸張されず、原音に忠実なダイナミックレンジで視聴することもできる。
【００４８】
また、図６に示すように第１区間の入出力特性および圧縮率Ｃ２を定めると、実施形態における入出力特性と異なり、圧縮率Ｃ２と圧縮率Ｃ３とは異なるものとなる。このように、設定次第で圧縮率Ｃ２と圧縮率Ｃ３とは同じにならない場合もある。この図６に示すような入出力特性は、低い入力レベルにおいて、ダイナミックレンジを伸長するように圧縮率が設定されているから、入力されるオーディオ信号について低いレベルにおける出力を重点においたコンテンツに用いると好適である。
【００４９】
このように、入出力特性において、圧縮率Ｃ１とＣ２との関係、圧縮率Ｃ２とＣ３との関係が、実施形態における関係に限られず、所望とする出力特性に応じて様々な関係とすることができる。このとき、実施形態における場合と同様に、増幅部３３から出力されるオーディオ信号の出力レベルが最大値Ｔｈを超えないこと、圧縮率Ｃ６が「０」になっていること、第３区間の圧縮率が最大、すなわち圧縮率Ｃ３である場合に、入力されたオーディオ信号の入力レベルが最大レベルであるときに、出力するオーディオ信号の出力レベルが最大レベルとなるような対応関係であることを満たすことが望ましい。
【００５０】
＜変形例４＞
変形例３に示すような様々な入出力特性について、それぞれコンテンツのジャンルに対応させて、記憶部３５に記憶させてもよい。すなわち、ボリューム値Ｖｏｌに対応した入出力特性のグループが、ジャンルに対応して記憶されるようにしてもよい。
【００５１】
この場合には、操作部３４にジャンルを指定する操作子を設け、利用者によって指定されると、指定されたジャンルを示すジャンル情報がパラメータ設定部３６に送信される。そして、パラメータ設定部３６は、ジャンル情報が示すジャンルに対応する入出力特性のグループを特定し、特定したグループの入出力特性の中から、実施形態に示すように、ボリューム値Ｖｏｌに応じた入出力特性を読み出して圧縮部３２に設定するようにすればよい。
【００５２】
なお、ジャンルの指定は操作部３４によって行われるだけでなく、信号取得部２において映像信号、オーディオ信号とともに、ジャンル情報を取得して、そのジャンル情報をパラメータ設定部３６に出力するようにし、自動的に設定されるようにしてもよい。また、ジャンル情報ではなく、ボリューム値Ｖｏｌに対応した入出力特性グループを取得して、パラメータ設定部３６に出力して自動的に設定されるようにしてもよい。このとき、ジャンル情報を併せて取得してもよく、取得したジャンル情報が示すジャンルと入出力特性のグループとが、記憶部３５に対応付けられて記憶されていないものである場合には、これを新たに記憶部３５に記憶させてもよい。
【００５３】
＜変形例５＞
上述した実施形態においては、操作部３４において設定可能なボリューム値Ｖｏｌは、「０」、「１」、「２」、・・・、「１０」と不連続値であったが、連続的に変化するようなものであってもよい。その場合には、記憶部３５に記憶する入出力特性について、パラメータをボリューム値Ｖｏｌで表される関数としておけばよい。すなわち、実施形態における圧縮率Ｃ３、Ｃ４、Ｃ５、Ｃ６について、Ｖｏｌ＝１〜７、８、９、１０と対応させていたが、第３区間における圧縮率をＣ（Ｖｏｌ）として表されるようにすればよい。なお、実施形態のようにボリューム値Ｖｏｌが不連続値であっても、記憶部３５には、入出力特性を示すパラメータをボリューム値Ｖｏｌで表される関数として記憶されるようにしてもよい。
【図面の簡単な説明】
【００５４】
【図１】実施形態に係るテレビの構成を示すブロック図である。
【図２】実施形態に係る記憶部の記憶内容を示す説明図である。
【図３】実施形態に係る圧縮部に設定される入出力特性の一例を示す説明図である。
【図４】実施形態に係る圧縮部に入力されるオーディオ信号の入力レベルと、増幅部から出力されるオーディオ信号の出力レベルの関係を示す説明図である。
【図５】変形例３に係る圧縮部に設定される入出力特性の一例を示す説明図である。
【図６】変形例３に係る圧縮部に設定される入出力特性の一例を示す説明図である。
【符号の説明】
【００５５】
１…テレビ、２…信号取得部、１０…映像表示装置、１１…映像信号入力部、１２…表示部、２０…スピーカ装置、２１…放音部、３０…オーディオ信号処理装置、３１…オーディオ信号入力部、３２…圧縮部、３３…増幅部、３４…操作部、３５…記憶部、３６…パラメータ設定部
【図１】
2010034700.tif 000003
【図２】
2010034700.tif 000004
【図３】
2010034700.tif 000005
【図４】
2010034700.tif 000006
【図５】
2010034700.tif 000007
【図６】
2010034700.tif 000008